(57)【特許請求の範囲】
【請求項１】
原稿が載置される原稿載置板を備えた装置本体と、
前記原稿載置板上の前記原稿を押圧する原稿圧着板と、
前記原稿圧着板を開閉する開閉機構とを備えた原稿読取装置において、
前記開閉機構は、前記装置本体に取り付けられる固定部材と、
前記固定部材に対し一端部が揺動自在に軸支されるフレーム部材と、
前記フレーム部材の自由端側に設けられ、前記原稿圧着板を揺動自在に支持する支持部材と、
前記支持部材よりも前記フレーム部材の揺動端側に設けられ、閉方向とは逆方向に向けて前記原稿圧着板を付勢する付勢手段とを備え、
原稿圧着板を閉じる際に、フレーム部材の揺動端に近い側の原稿圧着板を先に原稿載置板に接触させると共に、前記付勢手段によってフレーム部材の自由端に近い側の原稿圧着板を原稿載置板に接触させるだけの自重回転モーメントを付加するようにしたことを特徴とする原稿読取装置。
【請求項２】
請求項１に記載の原稿読取装置において、
前記付勢手段による付勢力を調整する調整手段を備えたことを特徴とする原稿読取装置。
【請求項３】
請求項１に記載の原稿読取装置において、
前記支持部材、前記付勢手段及び前記原稿圧着板の重心は、同一直線上に配置されることを特徴とする原稿読取装置。
【発明の詳細な説明】
【０００１】
【発明の属する技術分野】
本発明は、複写機、スキャナ等で用いられる原稿読取装置に係り、特に、原稿載置板に対し開閉自在に取り付けられる原稿圧着板を具備した原稿読取装置の改良に関する。
【０００２】
【従来の技術】
従来、例えば複写機における原稿読取装置としては、装置本体の上面に設けられる原稿載置板（例えばプラテンガラス）と、このプラテンガラスの上側であって装置本体に対しヒンジを介して揺動自在に取り付けられる原稿圧着板とを備えたものが知られている。
【０００３】
そして、この種の原稿読取装置では、プラテンガラスに原稿を密着させるため、原稿圧着板を水平に閉じる必要がある。
【０００４】
しかしながら、原稿圧着板及びこれを装置本体に取り付けるための部品の寸法のばらつき、ヒンジの回転トルクのばらつき、そして自重モーメントによる変形等により、原稿圧着板を水平に閉じることができなくなる。すなわちプラテンガラスと原稿圧着板との間に隙間が生じてしまうことがあり、これにより、プラテンガラス上の原稿が浮き上がって読取画像の画質が劣化してしまうという技術的課題がみられた。
また、原稿圧着板に自動原稿搬送装置（ＡＤＦ）が内蔵されるタイプの原稿読取装置にあっては、このような隙間が原稿の搬送異常の原因となり、原稿の破損やコピーミスを生じさせてしまうという技術的課題がみられた。
【０００５】
そこで、原稿圧着板の接地性を改善する手法として、例えば、ヒンジと原稿圧着板後端部との間に当該原稿圧着板を上下方向にリフトさせるリフト部材を設けると共に、このリフト部材の高さを調節する調節手段を具備させるようにしたものが提案されている（実開平７−１４４５１号公報参照）。
また、ヒンジの自由端側及び原稿圧着板後端部に固着されたステーに支軸を挿通させると共に、ヒンジ側に設けられる支軸挿通用の軸穴の穴径を、ステー側に設けられる軸穴の穴径よりも大きく形成するようにしたものも提案されている（特開平９−１０５２６７号公報参照）。
【０００６】
【発明が解決しようとする課題】
しかしながら、前者の手法では、原稿圧着板が常に同じ位置に位置決めされることとなるため、経時的な寸法変化や変形に対する余裕がなく、このような寸法変化や変形の発生に伴ってすぐに隙間が生じ、その都度調節手段による高さ調節を行わなければならなくなるため、その分、信頼性の低下やメンテナンスコストの上昇を招いてしまうという技術的課題がみられた。
【０００７】
一方、後者の手法では、確かに、ヒンジ側に設けられる軸穴及びステー側に設けられる軸穴の穴径の差分だけ、経時的な寸法変化や変形を吸収する余裕があるものの、構造上この穴径の差分を大きくすることは困難であるため、隙間調整しろを大きく取ることはできず、何らかの原因で大きな隙間が生じた場合には、部品交換を行わなければならなくなってしまうという技術的課題がみられた。
【０００８】
本発明は、以上の技術的課題を解決するためになされたものであって、原稿載置板上の原稿に対し、長期にわたって原稿圧着板を安定して密着させることのできる原稿読取装置を提供するものである。
【０００９】
【課題を解決するための手段】
すなわち、本発明は、原稿が載置される原稿載置板を備えた装置本体と、前記原稿載置板上の前記原稿を押圧する原稿圧着板と、前記原稿圧着板を開閉する開閉機構とを備えた原稿読取装置において、前記開閉機構は、前記装置本体に取り付けられる固定部材と、前記固定部材に対し一端部が揺動自在に軸支されるフレーム部材と、前記フレーム部材の自由端側に設けられ、前記原稿圧着板を揺動自在に支持する支持部材と、前記支持部材よりも前記フレーム部材の揺動端側に設けられ、閉方向とは逆方向に向けて前記原稿圧着板を付勢する付勢手段とを備え、原稿圧着板を閉じる際に、フレーム部材の揺動端に近い側の原稿圧着板を先に原稿載置板に接触させると共に、前記付勢手段によってフレーム部材の自由端に近い側の原稿圧着板を原稿載置板に接触させるだけの自重回転モーメントを付加するようにしたことを特徴とする。
【００１０】
このような技術的手段において、原稿載置板としては、透明な材料で形成された平板状のものであればよく、例えば、長尺な平板形状に形成された読取ガラス（プラテンガラス）を用いることができる。
【００１１】
また、原稿圧着板は、前記原稿載置板に載置された原稿を押圧できるものであれば適宜選定して差し支えなく、その内部に自動原稿搬送装置（ＡＤＦ）が配設されるタイプのものであってもよい。
【００１２】
更に、フレーム部材は、装置本体に取り付けられた固定部材に対して一端部が揺動自在に支持されるものであり、また、その自由端部側には、原稿圧着板を揺動自在に支持する支持部材が取り付けられる。更にまた、この支持部材の取付位置よりも固定端側には、原稿圧着板の閉方向とは逆方向に向けて当該原稿圧着板を付勢する付勢手段が設けられる。
【００１３】
そして、付勢手段は、原稿圧着板の閉方向とは逆方向に当該原稿圧着板を付勢できるものであれば適宜選定して差し支えなく、例えば圧縮バネ等を用いることができる。
ここで、この付勢手段による付勢力を簡易に調整するという観点からすれば、当該付勢手段による付勢力を調整する調整手段を具備させることが好ましい。
【００１４】
また、開閉時に原稿圧着板を安定させ且つ原稿載置板に対する接地性を良好なものとするという観点からすれば、前記支持部材、前記付勢手段及び前記原稿圧着板の重心は、同一直線上に配置されることが好ましい。
【００１５】
【発明の実施の形態】
以下、添付図面に示す実施の形態に基づいてこの発明を詳細に説明する。
図１（ａ）（ｂ）は、本発明が適用された原稿読取装置の実施の一形態を示す。尚、図１（ａ）は原稿読取装置の上面図であり、図１（ｂ）は側面図である。
同図において、本実施の形態に係る原稿読取装置は、例えば電子写真複写機の装置本体１０の上面に設けられた原稿載置板としてのプラテンガラス１１と、このプラテンガラス１１に対し開閉自在に設けられた原稿圧着板２０と、前記プラテンガラス１１に対して前記原稿圧着板２０を開閉する開閉機構３０とを備えている。
【００１６】
また、前記原稿圧着板２０には、前記プラテンガラス１１に対し原稿（図示せず）を自動搬送する自動原稿搬送装置が内蔵されている。図中において、符号２１は原稿を搬送する搬送機構、２２は搬送すべき原稿が載置される原稿供給トレイ、２３は読み取り終了後の原稿が排出される原稿排出トレイであり、符号２４〜２７は、原稿圧着板２０底部の四隅に対応する位置に設けられた脚である。
この原稿圧着板２０では、搬送機構２１側の方が原稿トレイ２２，２３側よりも重くなってしまうため、その重心が図中符号Ｇで示す位置すなわち搬送機構２１側になっている。
【００１７】
更に、開閉機構３０は、前記装置本体１０の片側の両端部に設けられた固定部材３１と、この固定部材３１に軸着された可動部材３２と、この可動部材３２に固着されたフレーム３３とを備えている。これにより、フレーム３３は装置本体１０に対し揺動自在となっている。
そして、このフレーム３３は、前記可動部材３２に固着されるアーム部３４，３５と、これらアーム３４，３５の先端部同士を掛け渡す第一掛け渡し部３６と、前記可動部材３２と掛け渡し部３６との間で前記アーム部３４，３５を掛け渡す第二掛け渡し部３７とを備えており、前記原稿圧着板２０を取り囲むような形状を有している。
【００１８】
そして、フレーム３３自由端側の第一掛け渡し部３６のうち、前記原稿圧着板２０の重心から伸びる重心線ＬGと交わる部位には、当該原稿圧着板２０を支持する支持部４０が設けられている。
この支持部４０には、図２（ａ）（ｂ）に示すように、第一掛け渡し部３６より上方に向けて突出するピン３６ａが設けられ、原稿圧着板２０側面の前記ピン３６ａに対応する位置には止め部２０ａが延設されると共に、その中央部には長円状の形状を有し前記ピン３６ａが係合する係合穴２０ｂが設けられている。これにより原稿圧着板２０は、図１（ｂ）中において支持部４０を中心に上下方向に揺動自在となっている。
【００１９】
また、図１（ａ）において、前記支持部４０が設けられる第一掛け渡し部３６とは反対側の第二掛け渡し部３７のうち、前記重心線ＬGと交わる部位には、当該原稿圧着板２０を図１（ｂ）中において上側にすなわち閉方向とは逆方向に付勢する付勢手段としての付勢装置５０が設けられている。
この付勢装置５０は、図１（ａ）（ｂ）に示すように、第二掛け渡し部３７より上方に向けて突出するピン３７ａが設けられ、原稿圧着板２０側面の前記ピン３７ａに対応する位置にはプレート２８が延設されると共に、その中央部には円形状の形状を有し前記ピン３７ａが貫通する貫通孔２８ａが設けられている。これにより原稿圧着板２０は、前記ピン３７ａに沿って滑らかに摺動しながら移動できるようになっている。
【００２０】
更に、前記第二掛け渡し部３７と前記プレート２８との間であって前記ピン３７ａの外周には、圧縮バネ５１が配設されている。そして、この圧縮バネ５１の上部側且つ前記プレート２８の下部側には、プレート状の形状を有する調整板５２が配設されている。この調整板５２にも前記ピン３７ａが貫通する穴が設けられているが、その大きさは過大な摺動抵抗が発生しない程度、すなわち滑らかに摺動しながら移動できる程度に設定されている。
また、前記プレート２８には、四本の調整ネジ５３が下方に向けて貫通配設されており、その先端部が、前記調整板５２に当接するようになっている。
【００２１】
次に、本実施の形態に係る原稿読取装置の開閉時の作動を、図３（ａ）〜（ｃ）に基づいて説明する。
図３（ａ）は原稿圧着板２０を開けた状態を示したものである。
このとき、図中において原稿圧着板２０の右側すなわち付勢装置５０側は、原稿圧着板２０の自重により圧縮バネ５１が縮められ、下方向に沈み込んでいる。
【００２２】
そして、図３（ｂ）に示すように原稿圧着板２０を閉めてくると、まず原稿圧着板２０の図中右側の脚すなわちフレーム３３の揺動端に近い側の脚２７（２６）が本体プラテンガラス１１と接触する。このとき、原稿圧着板２０の自重はプラテンガラス１１にかかり、このプラテンガラスとの間で釣り合いをとるようになるため、負荷の減少した圧縮バネ５１が復元力で伸び、その付勢力により原稿圧着板２０が上方向に押し上げられる。従って、接触に伴う原稿圧着板２０の自重回転モーメントの減少は抑えられ、原稿圧着板２０には、更に閉まろうとするだけの自重モーメントが残ることとなる。
【００２３】
その後、図３（ｃ）に示すように、原稿圧着板２０の図中左側の脚すなわちフレーム３３の自由端に近い側の脚２５（２４）がプラテンガラス１１と接触し、原稿圧着板２０は完全に閉じる。
【００２４】
このように、本実施の形態では、原稿圧着板２０を閉じる際、フレーム３３の揺動端に近い側の原稿圧着板２０を先にプラテンガラス１１に接触させると共に、フレーム３３の揺動端側に設けた付勢装置５０によってフレーム３３の自由端に近い側の原稿圧着板２０をプラテンガラス１１に接触させるだけの自重回転モーメントを付加するようにしたので、プラテンガラス１１に対し原稿圧着板２０を安定して水平に接地させることができる。
【００２５】
また、原稿圧着板２０自体を揺動自在に配設しているので、経時的な寸法変化や変形を吸収する余裕を大きくすることができ、長期にわたって安定した接地性を得ることができる。
【００２６】
尚、原稿圧着板２０を持ち上げる力は、付勢装置５０の調整板５２に当接する調整ネジ５３のねじ込み量を調整し圧縮バネ５１の当初の圧縮量を変化させることにより容易に調整可能である。すなわち、圧縮バネ５１による付勢力を、原稿圧着板２０の自重モーメントと同等程度の力となるように調整すればよい。
従って、例えば何らかの原因により、原稿圧着板２０のフレーム３３の自由端側に近い脚２５（２４）が、プラテンガラス１１に接触しなくなってしまったような場合には、調整ネジ５３を締め込み、調整板５２を圧縮バネ５１が縮む方向に移動させて付勢力を高め、原稿圧着板２０のフレーム３３の揺動端側に近い脚２７（２６）がプラテンガラス１１と接触したときの原稿圧着板２０の自重回転モーメントの減少を更に軽減させることにより、原稿圧着板２０の接地性を改善することが可能である。
【００２７】
また、本実施の形態では、原稿圧着板２０の重心Ｇから伸びる重心線ＬG上に支持部４０及び付勢装置５０を配設しているので、少ない支持点数でありながら、揺動自在に配設される原稿圧着板２０の左右のバランスのくずれを確実に防止することができる。
【００２８】
【発明の効果】
以上説明したように、本発明によれば、原稿圧着板を閉じる際、フレーム部材の揺動端に近い側の原稿圧着板を先に原稿載置板に接触させると共に、フレーム部材の揺動端側に設けた付勢手段によってフレーム部材の自由端に近い側の原稿圧着板を原稿載置板に接触させるだけの自重回転モーメントを付加するようにしたので、原稿載置板に対し原稿圧着板を安定して水平に接地させることができ、原稿載置板上の原稿に対し、長期にわたって原稿圧着板を安定して密着させることができる。
【図面の簡単な説明】
【図１】  （ａ）は本発明が適用された原稿読取装置の実施の一形態の上面図、（ｂ）は側面図である。
【図２】  （ａ）は支持部の上面図、（ｂ）は側面図である。
【図３】  （ａ）〜（ｃ）は実施の一形態に係る原稿読取装置の開閉作動を説明する模式図である。
【符号の説明】
１０…装置本体，１１…プラテンガラス，２０…原稿圧着板，２０ａ…止め部，２０ｂ…係合穴，２１…搬送機構，２２…原稿供給トレイ，２３…原稿排出トレイ，２４〜２７…脚，２８…プレート，２８ａ…貫通孔，３０…開閉機構，３１…固定部材，３２…可動部材，３３…フレーム，３４，３５…アーム部，３６…第一掛け渡し部，３６ａ…ピン，３７…第二掛け渡し部，３７ａ…ピン，４０…支持部，５０…付勢装置，５１…圧縮バネ，５２…調整板，５３…調整ネジ，Ｇ…重心，ＬG…重心線
【図１】
0004102956.tif 000002
【図２】
0004102956.tif 000003
【図３】
0004102956.tif 000004